(57)【要約】【課題】簡潔に表された21世紀カレンダーを提供する。【解決手段】30枚のルーズリーフ１２1ないし１２30には、2001年から2015年までの15年間、2029年から2043年までの15年間、2057年から2071年までの15年間、及び、2085年から2099年までの15年間で利用する15年カレンダーと、2016年から2028年までの13年間、2044年から2056年までの13年間、及び、2072年から2084年までの13年間で利用する13年カレンダーと、2100年の年間カレンダーが印刷されており、それらのルーズリーフ１２1ないし１２30をバインダーノート１１により綴じることで、簡潔に表された21世紀カレンダーを提供できる。本発明は、21世紀カレンダーに適用することができる。【選択図】図１
2011138068.tif 000002
【特許請求の範囲】
【請求項１】
複数の用紙により構成されるカレンダーにおいて、
2001年から2015年までの15年分の年間カレンダーを再利用することで、2029年から2043年までの15年間、2057年から2071年までの15年間、及び、2085年から2099年までの15年間を表した第１の用紙群と、
2016年から2028年までの13年分の年間カレンダーを再利用することで、2044年から2056年までの13年間、及び、2072年から2084年までの13年間を表した第２の用紙群と、
2100年の年間カレンダーを表した第３の用紙群と
から構成され、
前記第１の用紙群、前記第２の用紙群、及び前記第３の用紙群により、2001年から2100年までの100年分の年間カレンダーを表している
ことを特徴とするカレンダー。
【請求項２】
前記複数の用紙は、30枚からなり、
15年分の年間カレンダー、13年分の年間カレンダー、及び2100年の1年分の年間カレンダーがそれぞれ見開き頁となるように印刷されている
ことを特徴とする請求項１に記載のカレンダー。
【請求項３】
前記複数の用紙は、ルーズリーフであって、バインダーノートにより着脱自在に綴じられている
ことを特徴とする請求項２に記載のカレンダー。
【発明の詳細な説明】
【技術分野】
【０００１】
本発明は、カレンダーに関する。
【背景技術】
【０００２】
従来より、各種のカレンダーが提案されている。
【０００３】
非特許文献１には、カレンダーが28年周期で繰り返されることが記載されており、この28年周期にあって、2001年から2400年までの400年間で、2100年、2200年、及び2300年の３つの年では、28年周期のパターンが崩れるので、個別に計算する必要があることが記載されている。
【０００４】
また、非特許文献２には、カレンダーの配置には、14パターンあって、これらのパターンが所定の規則で繰り返されることが記載されている。なお、このことは、非特許文献３にも記載されている。
【先行技術文献】
【非特許文献】
【０００５】
【非特許文献１】“13日の金曜日になる確率 BIGLOBE なんでも相談室”，［2009年9月7日検索］，インターネット＜http://soudan1.biglobe.ne.jp/qa357456.html＞
【非特許文献２】“カレンダー計算の謎の解明−１”，［2009年9月7日検索］，インターネット＜http://blogs.yahoo.co.jp/yosh0316/9275631.html＞
【非特許文献３】熊谷 高幸，“自閉症からのメッセージ”，1993年，講談社現代新書
【発明の概要】
【発明が解決しようとする課題】
【０００６】
しかしながら、上記の非特許文献１ないし３には、カレンダーの規則性について提案されているが、2001年から2100年までの100年分の年間カレンダー（以下、21世紀カレンダーという）について考えた場合、上記の規則性だけを利用するとその構成が煩雑になってしまう。そのため、有効な規則性を利用して、簡潔に表された21世紀カレンダーが求められていた。
【０００７】
本発明はこのような状況に鑑みてなされたものであり、簡潔に表された21世紀カレンダーを提供できるようにするものである。
【課題を解決するための手段】
【０００８】
本発明のカレンダーは、複数の用紙により構成されるカレンダーにおいて、2001年から2015年までの15年分の年間カレンダーを再利用することで、2029年から2043年までの15年間、2057年から2071年までの15年間、及び、2085年から2099年までの15年間を表した第１の用紙群と、2016年から2028年までの13年分の年間カレンダーを再利用することで、2044年から2056年までの13年間、及び、2072年から2084年までの13年間を表した第２の用紙群と、2100年の年間カレンダーを表した第３の用紙群とから構成され、前記第１の用紙群、前記第２の用紙群、及び前記第３の用紙群により、2001年から2100年までの100年分の年間カレンダーを表していることを特徴とするカレンダー。
【発明の効果】
【０００９】
本発明によれば、簡潔に表された21世紀カレンダーを提供できる。
【図面の簡単な説明】
【００１０】
【図１】本発明を適用したカレンダーの一実施の形態を示す図である。
【図２】カレンダーを印刷したルーズリーフの例を示す図である。
【発明を実施するための形態】
【００１１】
以下、図面を参照しながら本発明の実施の形態について説明する。
【００１２】
図１は、本発明を適用した21世紀カレンダーの一実施の形態を示す図である。
【００１３】
21世紀カレンダー１は、2001年から2100年までの100年分の年間カレンダーである。21世紀カレンダー１は、バインダーノート１１と、バインダーノート１１により綴じられた30枚のルーズリーフ１２1ないし１２30から構成される。
【００１４】
ルーズリーフ１２1ないし１２30には、表面と裏面のそれぞれにカレンダーが印刷されており、例えば、図２に示すようになる。すなわち、図２Ａは、ある年の1月から6月までの半年分のカレンダーが印刷されたn枚目(n=1,2,3,…,30)のルーズリーフ１２nの裏面を示している。また、図２Ｂは、同年の7月から12月までの半年分のカレンダーが印刷されたn+1枚目のルーズリーフ１２n+1の表面を示している。
【００１５】
それらのルーズリーフ１２n，１２n+1をバインダーノート１１により綴じると、それらが見開き頁となって、ある年の1年分のカレンダーが表される。
【００１６】
また、図２に示すように、各月のカレンダーにおいて、日付のマス目が4分割されているが、分割された1つのマス目が1年分の予定の入力欄となっており、日付の各マス目には4年分の情報を書き込むことが可能である。
【００１７】
つまり、先に述べた通り、カレンダーには規則性があって、ある年と同じカレンダーを利用できる年が所定の間隔で繰り返しやってくるので、図２のルーズリーフ１２に印刷されたある年のカレンダーを、4回使い回すことができるようにしている。
【００１８】
本発明では、28年周期で繰り返されるカレンダーの規則性を利用して、この28年を、15年と13年に分けて考える。そうすると、15年＋13年の周期が繰り返されることになり、それらのカレンダーをそれぞれ用意すると、次の（１）〜（８）ようになる。
【００１９】
（１）2001年〜2015年：15年カレンダー
（２）2016年〜2028年：13年カレンダー
（３）2029年〜2043年：15年カレンダー
（４）2044年〜2056年：13年カレンダー
（５）2057年〜2071年：15年カレンダー
（６）2072年〜2084年：13年カレンダー
（７）2085年〜2099年：15年カレンダー
（８）2100年：2100年の年間カレンダー
【００２０】
すなわち、（１），（３），（５），（７）は15年カレンダー、（２），（４），（６）は13年カレンダー、（８）は2100年の年間カレンダーであるので、15年カレンダー、13年カレンダー、及び2100年の年間カレンダーをそれぞれ用意し、再利用することで、2001年から2100年までのカレンダーを実現することが可能となる。
【００２１】
図２に示したように、ルーズリーフ１２の見開き頁により表される1年分のカレンダーは、4回使用することができるので、15年カレンダーとして利用できるように印刷すれば、例えば、2001年，2029年，2057年，2085年の4回使用できる（15年カレンダーの場合には、（１），（３），（５），（７）の4回利用する）。一方、ルーズリーフ１２の見開き頁により表される1年分のカレンダーを、13年カレンダーとして利用できるように印刷すれば、例えば2016年，2044年，2072年の3回使用できる（13年カレンダーの場合には、（２），（４），（６）の3回利用できればよい）。
【００２２】
すなわち、15年カレンダーと、13年カレンダーをそれぞれ1つずつルーズリーフ１２の見開き頁で印刷し、さらに、2100年の1年分のカレンダーを同様に印刷することで、2001年から2100年までのカレンダーが得られる。この場合、15年分と13年分、さらに1年分のカレンダーを見開き頁で印刷するので、それらが印刷された30枚のルーズリーフ１２1ないし１２30をバインダーノート１１により綴じることで、21世紀カレンダー１が構成される。
【００２３】
以上のように、本発明によれば、15年＋13年の周期が繰り返されるというカレンダーの規則性を利用して、ルーズリーフを30枚用意するだけで、簡潔に表された21世紀カレンダーを提供することができる。
【００２４】
なお、本実施の形態では、カレンダーをルーズリーフ１２などの用紙に印刷して、バインダーノート１１に綴じる例を説明したが、他の構成を採用することも可能である。例えば、絵はがきなどの他、カレンダーを紙に印刷し、それを製本して綴じておくことで、本のような形態で提供してもよい。
【００２５】
また、本発明の実施の形態は、上述した実施の形態に限定されるものではなく、本発明の要旨を逸脱しない範囲において種々の変更が可能である。
【符号の説明】
【００２６】
１  21世紀カレンダー，  １１  バインダーノート，  １２  ルーズリーフ
【図１】
2011138068.tif 000003
【図２】
2011138068.tif 000004